(57)【特許請求の範囲】
【請求項１】
音声出力手段（１７）からの音声出力を生成するための音声信号として、ユーザ操作によりデジタル音声信号又はアナログ音声信号が選択自在になっているＡＶシステム（１０）において、
デジタル音声信号及びアナログ音声信号の選択肢を含む設定モードとは別の少なくとも１個の設定モードにおける第１又は第２の選択肢の選択が、デジタル音声信号又はアナログ音声信号の選択操作により、行えるようになっており、
前記別の少なくとも１個の設定モードは、前記音声出力手段（１７）から出力される音声をどの言語にするかを設定するための音声モード、又は映像画面における字幕について設定を行うための字幕モードであり、音声モードにおける第１及び第２の選択肢はそれぞれオリジナル及び吹替えであり、字幕モードにおける第１及び第２の選択肢はそれぞれ字幕有り及び字幕無しであることを特徴とするＡＶシステム。
【請求項２】
音声出力手段（１７）からの音声出力を生成するための音声信号として、ユーザ操作によりデジタル音声信号又はアナログ音声信号が選択自在になっているＡＶシステム（１０）において、
デジタル音声信号及びアナログ音声信号の選択肢を含む設定モードとは別の複数個の設定モードの各々について、第１及び第２の選択肢を設定するとともに、各設定モードの第１の選択肢を全部集めたものを第１の組に、また、各設定モードの第２の選択肢を全部集めたものを第２の組にそれぞれ設定し、第１又は第２の組に属する全選択肢の選択が、デジタル音声信号又はアナログ音声信号の選択操作により、行えるようになっており、
前記別の複数個の設定モードには、前記音声出力手段（１７）から出力される音声をどの言語にするかを設定する音声モード、及び映像画面における字幕について設定する字幕モードが含まれており、音声モードにおける第１及び第２の選択肢はそれぞれオリジナル及び吹替えであり、字幕モードにおける第１及び第２の選択肢はそれぞれ字幕有り及び字幕無しであることを特徴とするＡＶシステム。
【請求項３】
デジタル音声信号及びアナログ音声信号の選択肢を含む設定モードとは別の設定モードのうち前記音声モード又は字幕モード以外の設定モード、及びその設定モードにおける第１及び第２の選択肢は、ユーザが任意に設定自在となっていることを特徴とする請求項１記載のＡＶシステム。
【請求項４】
デジタル音声信号及びアナログ音声信号の選択肢を含む設定モードとは別の設定モードのうち前記音声モード及び字幕モード以外の設定モード、及びその設定モードにおける第１及び第２の選択肢は、ユーザが任意に設定自在となっていることを特徴とする請求項２記載のＡＶシステム。
【発明の詳細な説明】
【０００１】
【発明の属する技術分野】
この発明は、ＤＶＤプレーヤ等のＡＶプレーヤを有しているＡＶシステムに係り、詳しくは操作性を改善されたＡＶシステムに関するものである。
【０００２】
【従来の技術】
ＤＶＤの再生では、音声モードについてオリジナル（例えぱ英語等）にするか吹替え（例えば日本語等）にするかの選択、また、字幕（原音の翻訳の字幕）モードについて字幕有りか無しかの選択をユーザが適宜行えるようになっている。図３はユーザが音声モード及び字幕モードを選択するときのユーザ操作のフローチャートである。最初に、モニタＴＶにＤＶＤプレーヤのメニュー画面を表示する（Ｓ３０）。ユーザが、メニュー画面から音声モード切替を選択すると、モニタＴＶの画面がメニュー画面から音声モード切替画面に切替わり（Ｓ３１）、ユーザはその音声モード切替画面における操作により音声モードのオリジナル及び吹替えの切替えを行う（Ｓ３２）。次に、再び、メニュー画面へ戻ってから、ユーザの選択により今度は字幕モード切替画面へ切替え（Ｓ３３）、ユーザはその字幕モード切替画面における操作により字幕モードの字幕有り及び無しの切替を行う（Ｓ３４）、そして、最後に、元のメニュー画面へ戻す（Ｓ３５）。
【０００３】
【発明が解決しようとする課題】
従来のＡＶシステム又はＤＶＤプレーヤにおける音声モード及び字幕モードの設定は、多数の画面切替操作や選択操作を含み、操作が煩雑となっている。
【０００４】
この発明の目的は、上述の問題点を克服するＡＶシステムを提供することである。
【０００５】
【課題を解決するための手段】
この発明のＡＶシステム（１０）によれば、音声出力手段（１７）からの音声出力を生成するための音声信号をユーザ操作によりデジタル音声信号又はアナログ音声信号を選択自在になっている。デジタル音声信号及びアナログ音声信号の選択肢を含む設定モードとは別の少なくとも１個の設定モードにおける第１又は第２の選択肢の選択が、デジタル音声信号又はアナログ音声信号の選択操作により、行えるようになっている。
【０００６】
音声出力手段（１７）とは、例えばスピーカ（１５）であり、ヘッドホーン等の他の音声出力手段も含む。デジタル音声信号及びアナログ音声信号の選択肢を含む設定モードとは別の設定モードとは、例えば、ＤＶＤプレーヤ（１４）からの音声をオリジナル（原語）及び吹替え（通所は日本語への吹替え）等に切替える音声モードとか、モニタＴＶ（１５）の画面に字幕（通常は、日本語訳への字幕）を表示するか否かを設定する字幕モードとかである。第１及び第２の選択肢とは、例えば、音声モードにおけるオリジナル及び吹替えであるとか、字幕モードにおける字幕有り及び字幕無しとかである。デジタル音声信号及びアナログ音声信号の選択肢を含む設定モードとは別の設定モードは、少なくとも１個であるので、デジタル音声信号の選択操作により、例えば、音声モードにおける原語の選択を行えるだけでなく、字幕モードにおける字幕有りの選択も行え、また、アナログ音声信号の選択操作により、例えば、音声モードにおける吹替えの選択を行えるだけでなく、字幕モードにおける字幕無しの選択も行えるようにしてもよい。
【０００７】
デジタル音声信号及びアナログ音声信号の選択肢を含む設定モードとは別の設定モードは、二者択一の選択に限定されない。三者以上からの択一の選択であってもよい。例えば、別の設定モードのおける選択がＡ，Ｂ，Ｃの三者からの択一である場合、Ａ，Ｂは、それぞれデジタル音声信号の選択操作及びアナログ音声信号の選択操作に割り当てられが、Ｃは、特に割当てはされず、従来と同様に、本来の設定モードを呼び出して、選択することになってもよい。
【０００８】
こうして、ユーザは、デジタル音声信号又はアナログ音声信号の選択操作を行うだけで、別の設定モードにおける第１又は第２の選択肢の選択操作も済ませることができ、選択操作を能率化できる。
【０００９】
この発明のＡＶシステム（１０）によれば、音声出力手段（１７）からの音声出力を生成するための音声信号をユーザ操作によりデジタル音声信号又はアナログ音声信号を選択自在になっている。デジタル音声信号及びアナログ音声信号の選択肢を含む設定モードとは別の複数個の設定モードの各々について、第１及び第２の選択肢を設定する。各設定モードの第１の選択肢を全部、集めたものを第１の組に、また、各設定モードの第２の選択肢を全部集めたものを第２の組にそれぞれ設定する。そして、第１又は第２の組に属する全選択肢の選択が、デジタル音声信号又はアナログ音声信号の選択操作により、行えるようになっている。
【００１０】
デジタル音声信号及びアナログ音声信号の選択肢を含む設定モードとは別の複数個の設定モードとは、例えば、音声モード及び字幕モードの２個の設定モードである。第１の選択肢の組とは、例えば、音声モードにおけるオリジナル、及び字幕モードにおける字幕有りの組である。第２の選択肢の組とは、例えば、音声モードにおける吹替え、及び字幕モードにおける字幕無しの組である。「デジタル音声信号及びアナログ音声信号の選択肢を含む設定モードとは別の複数個の設定モード」の「複数個」は２個に限定されない。
【００１１】
こうして、ユーザは、デジタル音声信号又はアナログ音声信号の選択操作を行うだけで、別の複数個の設定モードにおける第１又は第２の選択肢を集めた第１又は第２の組に属する選択肢全部の選択操作も済ませることができ、選択操作を能率化できる。
【００１２】
この発明のＡＶシステム（１０）によれば、デジタル音声信号及びアナログ音声信号の選択肢を含む設定モードとは別の設定モード、及びその別の設定モードにおける第１及び第２の選択肢は、ユーザが任意に設定自在となっている。
【００１３】
ユーザは、デジタル音声信号又はアナログ音声信号の選択操作により選択操作を済ませることのできる設定モードを任意に設定できるとともに、その設定モード内の選択肢の中から第１及び第２の選択肢を任意に設定できるようになっているので、便宜性が高まる。
【００１４】
【発明の実施の形態】
以下、発明の実施の形態について図面を参照して説明する。
図１はＡＶシステム１０の構成図である。レシーバ１１は、ハンディリモコン１２との間でデータをコードレスで送受できるようになっている。ユーザは、モニタＴＶ１５（モニタとテレビを兼ねるもの。）の操作画面を見ながら、ハンディリモコン１２のキー１３を操作することにより、レシーバ１１へ指示を送れるようになっている。レシーバ１１は、また、ケーブルを介してＤＶＤプレーヤ１４と接続され、相互にデータを送受する。ＤＶＤプレーヤ１４は、レシーバ１１からユーザ指示を受けるとともに、再生映像等をモニタＴＶ１５に表示し、かつ再生音声をレシーバ１１へ送る。ＤＶＤの再生時では、デジタル音声信号及びアナログ音声信号の両方が、ＤＶＤプレーヤ１４からレシーバ１１へ再生音声として送られ、レシーバ１１は、ユーザから指示された方の音声信号を処理（例：音量調整やＤＡ変換）して、スピーカ１７への出力信号を生成し、それをスピーカ１７へ送って、スピーカ１７より音声を出力する。
【００１５】
図２はユーザがハンディリモコン１２において入力信号切替キー（複数個のキー１３の内の所定の１個）をオンしたときの処理のフローチャートである。Ｓ２０では、レシーバ１１においてユーザが信号モードのデジタルを選択したか否かを判定する。信号モードはデジタル音声信号かアナログ音声信号かの二者択一であり、ユーザがデジタルを選択しなかった場合は、アナログを選択したことになる。したがって、Ｓ２０の判定がＹｅｓのときは、Ｓ２１へ進み、Ｎｏのときは、Ｓ２４へ進む。Ｓ２１では、ユーザが信号モードとしてデジタルを選択した旨がレシーバ１１からＤＶＤプレーヤ１４へ通知される。Ｓ２２では、ＤＶＤプレーヤ１４において、音声モードがオリジナル（原語）に、また、字幕はオンに、すなわち、字幕モードは字幕有りに設定される。これにより、ＤＶＤプレーヤ１４におけるＤＶＤの再生では、モニタＴＶ１５の画面に字幕が再生映像に重ねて表示されるとともに、ＤＶＤプレーヤ１４からレシーバ１１へオリジナルの音声信号がデジタル及びアナログの両方で伝送される。しかしながら、レシーバ１１は、デジタル音声信号に基づいてスピーカ１７への出力信号を生成し、それをスピーカ１７へ送って、再生音声がスピーカ１７から出力される。Ｓ２４では、ユーザが信号モードとしてアナログを選択した旨がレシーバ１１からＤＶＤプレーヤ１４へ通知される。Ｓ２５では、ＤＶＤプレーヤ１４において、音声モードが吹替え（例えは日本語への吹替え）に、また、字幕はオフに、すなわち、字幕モードは字幕無しに設定される。これにより、ＤＶＤプレーヤ１４におけるＤＶＤの再生では、モニタＴＶ１５の画面には、再生映像が表示されるのみで、字幕は表示されず、また、ＤＶＤプレーヤ１４からレシーバ１１へ吹替えの音声信号がデジタル及びアナログの両方で伝送される。しかしながら、レシーバ１１は、アナログ音声信号の方に基づいてスピーカ１７への出力信号を生成し、それをスピーカ１７へ送って、再生音声がスピーカ１７から出力される。
【００１６】
発明の実施の形態では、信号モードのデジタル音声信号及びアナログ音声信号にそれぞれＳ２２及びＳ２５に示される設定内容が割り当てられたが、逆に、それぞれＳ２５及びＳ２２の設定内容が割り当てられてもよい。また、信号モードのデジタル音声信号及びアナログ音声信号に割り当てる設定内容を、ユーザが、モニタＴＶ１５の操作画面を見ながら、任意に設定自在となるようにしてもよい。
【図面の簡単な説明】
【図１】ＡＶシステムの構成図である。
【図２】ユーザがハンディリモコンにおいて入力信号切替キーをオンしたときの処理のフローチャートである。
【図３】ユーザが音声モード及び字幕モードを選択するときのユーザ操作のフローチャートである。
【符号の説明】
１０    ＡＶシステム
１７    スピーカ（音声出力手段）
【図１】
0003606424.tif 000002
【図２】
0003606424.tif 000003
【図３】
0003606424.tif 000004